(57)【要約】【課題】送信すべき情報に基づく電界を電界伝達媒体に誘起させるとともに電界伝達媒体に誘起された電界を検出して情報の送受信を行うトランシーバを利用してコンピュータ間の通信を行う場合において、迅速に通信サービスを開始することができる。【解決手段】トランシーバ１は、リンク信号生成器１０１で生成したリンク信号（トランシーバ１間のリンク（接続）を判定するための信号）を定期的にリンクチャネルを使って多重部１０２に送り出し、多重部１０２で、このリンク信号と送信データとをひとつにまとめる。また、トランシーバ１は、受信したデータを分離部１０３で送信データとリンク信号とに分離し、該リンク信号を、リンク信号を検出すると駆動信号（コンピュータ上のサービスを起動する信号）をコンピュータに出力する駆動信号出力器１０４に送り出す。【選択図】      図１
2004357195.tif 000002
【特許請求の範囲】
【請求項１】
送信すべき情報に基づく電界を電界伝達媒体に誘起させるとともにこの誘起した電界を検出して情報の送受信を行うトランシーバにおいて、
複数の前記トランシーバ間の接続を判定するリンク信号を生成し、前記トランシーバに接続されているコンピュータからのデータ信号のチャネルであるデータチャネルとは別の前記リンク信号専用のチャネルであるリンクチャネルを使って送信するリンク信号生成手段と、
前記リンクチャネルからの前記リンク信号と、前記データチャネルからの前記データ信号と、をひとつにまとめて前記送信すべき情報とする多重手段と、
前記電界伝達媒体から受信した情報を、前記データチャネルの前記データ信号と前記リンクチャネルの前記リンク信号に分離する分離手段と、
前記分離手段で分離された前記リンク信号を検知すると前記コンピュータに格納されている所定のプログラムの起動を行う駆動信号を前記コンピュータに送信する駆動信号出力手段と、
を有することを特徴とするトランシーバ。
【請求項２】
送信すべき情報に基づく電界を電界伝達媒体に誘起させるとともにこの誘起した電界を検出して情報の送受信を行うトランシーバにおいて、
複数の前記トランシーバ間の接続を判定するリンク信号を生成し、前記トランシーバに接続されているコンピュータからのデータ信号のチャネルであるデータチャネルとは別の前記リンク信号専用のチャネルであるリンクチャネルを使って送信するリンク信号生成手段と、
前記リンクチャネルからの前記リンク信号と、前記データチャネルからの前記データ信号と、をひとつにまとめて前記送信すべき情報とする多重手段と、
を有することを特徴とするトランシーバ。
【請求項３】
送信すべき情報に基づく電界を電界伝達媒体に誘起させるとともにこの誘起した電界を検出して情報の送受信を行うトランシーバにおいて、
前記電界伝達媒体から受信した情報を、前記トランシーバに接続されているコンピュータからのデータ信号のチャネルであるデータチャネルと、複数の前記トランシーバ間の接続を判定するリンク信号専用のチャネルであるリンクチャネルとに分割して、前記データ信号と前記リンク信号とを分離する分離手段と、
前記分離手段で分離された前記リンク信号を検知すると前記コンピュータに格納されている所定のプログラムの起動を行う駆動信号を前記コンピュータに送信する駆動信号出力手段と、
を有することを特徴とするトランシーバ。
【請求項４】
送信すべき情報に基づく電界を電界伝達媒体に誘起させるとともにこの誘起した電界を検出して情報の送受信を行う１対のトランシーバを備えて、該１対のトランシーバに接続されているそれぞれのコンピュータ間で提供されるサービスを起動するサービス起動システムであって、
前記１対のトランシーバの一方は、
前記トランシーバ間の接続を判定するリンク信号を生成し、前記トランシーバに接続されているコンピュータからのデータ信号のチャネルであるデータチャネルとは別の前記リンク信号専用のチャネルであるリンクチャネルを使って送信するリンク信号生成手段と、
前記リンクチャネルからの前記リンク信号と、前記データチャネルからの前記データ信号と、をひとつにまとめて前記送信すべき情報とする多重手段と、
前記送信すべき情報に基づく電界を電界伝達媒体に誘起させる送信手段と、
を有し、
前記１対のトランシーバの他方は、
前記１対のトランシーバの一方から送信された情報を、前記電界伝達媒体から誘起した電界を検出して受信する受信手段と、
前記受信手段で受信した情報を前記データチャネルの前記データ信号と前記リンクチャネルの前記リンク信号に分離する分離手段と、
前記分離手段で分離された前記リンク信号を検知すると自己に接続されている前記コンピュータに格納されている所定のプログラムの起動を行う駆動信号を該コンピュータに送信する駆動信号出力手段と、
を有することを特徴とするサービス起動システム。
【請求項５】
送信すべき情報に基づく電界を電界伝達媒体に誘起させるとともにこの誘起した電界を検出して情報の送受信を行う１対のトランシーバが、該１対のトランシーバに接続されているそれぞれのコンピュータ間で提供されるサービスを起動するサービス起動方法であって、
前記１対のトランシーバの一方は、
前記トランシーバ間の接続を判定するリンク信号を生成し、前記トランシーバに接続されているコンピュータからのデータ信号のチャネルであるデータチャネルとは別の前記リンク信号専用のチャネルであるリンクチャネルを使って送信するリンク信号生成ステップと、
前記リンクチャネルからの前記リンク信号と、前記データチャネルからの前記データ信号と、をひとつにまとめて前記送信すべき情報とする多重ステップと、
前記送信すべき情報に基づく電界を電界伝達媒体に誘起させる送信ステップと、
を実行し、
前記１対のトランシーバの他方は、
前記１対のトランシーバの一方から送信された情報を、前記電界伝達媒体から誘起した電界を検出して受信する受信ステップと、
前記受信ステップで受信した情報を前記データチャネルの前記データ信号と前記リンクチャネルの前記リンク信号に分離する分離ステップと、
前記分離ステップで分離された前記リンク信号を検知すると自己に接続されている前記コンピュータに格納されている所定のプログラムの起動を行う駆動信号を該コンピュータに送信する駆動信号出力ステップと、
を実行することを特徴とするサービス起動方法。
【発明の詳細な説明】
【０００１】
【発明の属する技術分野】
本発明は、例えば、ウェアラブルコンピュータのデータ通信のために使用されるトランシーバ、該トランシーバを有するサービス起動システムおよびサービス起動方法に関し、特に、送信すべき情報に基づく電界を電界伝達媒体に誘起させるとともに電界伝達媒体に誘起された電界を検出して情報の送受信を行うトランシーバ、該トランシーバを有するサービス起動システムおよびサービス起動方法に関する。
【０００２】
【従来の技術】
携帯端末の小型化および高性能化によりウェアラブルコンピュータが注目されているが、図６はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とＰＣ８間とのデータ通信に使用されるトランシーバ９は、例えば、図７に示すような構成をしており、レーザ光と電気光学結晶を用いた電気光学的手法による信号検出技術を利用していて、送信すべき情報に基づく電界を電界伝達媒体である生体に誘起させ、この誘起した電界を用いて情報の送受信を行うものである。
【０００４】
より詳しくは、トランシーバ９は、コンピュータからの送信データを入出力（Ｉ／Ｏ）回路９０１を介して受け取ると、この送信データを送信部９０２を介して送受信電極９０３に供給し、該送受信電極９０３および絶縁膜９０４を介して電界伝達媒体に電界を誘起させ、この電界を電界伝達媒体の他の部位に伝達させるようになっている。また、電界伝達媒体に誘起されて伝達されてくる電界を絶縁膜９０４を介して送受信電極９０３で検出し、この電界を電界検出光学部９０５に結合して電気信号に変換するようになっている。そして、この電気信号は、信号処理回路９０６で増幅、雑音除去などの信号処理を施され、更に波形整形回路９０７で波形整形されてから、入出力（Ｉ／Ｏ）回路９０１を介してコンピュータに出力されるようになっている。
【０００５】
尚、この出願に関連する先行技術文献情報としては、次のものがある。
【０００６】
【特許文献１】
特開２００１−３５２２９８公報
【０００７】
【発明が解決しようとする課題】
ところで、上記のような生体を介したウェアラブルコンピュータ７とＰＣ８間とのデータ通信に関しては、通信路が常に確立しているわけではなく、人間がトランシーバ９ａ又は９ｂに触れている間だけ通信路が確立するようになっている。従って、ＰＣ８がある通信サービスを提供している場合には、人間の振る舞いの影響を受けて、通信サービスを提供することができないという事態が生じ得る。例えば、トランシーバ９ａ又は９ｂに触れている時間が瞬時であるときには、手足をトランシーバ９ａ又は９ｂから離した後にＰＣ８が通信サービスを開始しようとしても、通信路は既に消滅しているので、通信サービスを提供することができないという問題がある。
【０００８】
本発明は、上記の事情を鑑みたものであり、送信すべき情報に基づく電界を電界伝達媒体に誘起させるとともに電界伝達媒体に誘起された電界を検出して情報の送受信を行うトランシーバを利用してコンピュータ間の通信を行う場合において、迅速に通信サービスを開始することができるトランシーバ、該トランシーバを有するサービス起動システムおよびサービス起動方法を提供することを目的とする。
【０００９】
【課題を解決するための手段】
上記目的を達成するため、請求項１記載の本発明は、送信すべき情報に基づく電界を電界伝達媒体に誘起させるとともにこの誘起した電界を検出して情報の送受信を行うトランシーバにおいて、複数の前記トランシーバ間の接続を判定するリンク信号を生成し、前記トランシーバに接続されているコンピュータからのデータ信号のチャネルであるデータチャネルとは別の前記リンク信号専用のチャネルであるリンクチャネルを使って送信するリンク信号生成手段と、前記リンクチャネルからの前記リンク信号と、前記データチャネルからの前記データ信号と、をひとつにまとめて前記送信すべき情報とする多重手段と、前記電界伝達媒体から受信した情報を、前記データチャネルの前記データ信号と前記リンクチャネルの前記リンク信号に分離する分離手段と、前記分離手段で分離された前記リンク信号を検知すると前記コンピュータに格納されている所定のプログラムの起動を行う駆動信号を前記コンピュータに送信する駆動信号出力手段と、を有することを要旨とする。
【００１０】
請求項２記載の本発明は、送信すべき情報に基づく電界を電界伝達媒体に誘起させるとともにこの誘起した電界を検出して情報の送受信を行うトランシーバにおいて、複数の前記トランシーバ間の接続を判定するリンク信号を生成し、前記トランシーバに接続されているコンピュータからのデータ信号のチャネルであるデータチャネルとは別の前記リンク信号専用のチャネルであるリンクチャネルを使って送信するリンク信号生成手段と、前記リンクチャネルからの前記リンク信号と、前記データチャネルからの前記データ信号と、をひとつにまとめて前記送信すべき情報とする多重手段と、を有することを要旨とする。
【００１１】
請求項３記載の本発明は、送信すべき情報に基づく電界を電界伝達媒体に誘起させるとともにこの誘起した電界を検出して情報の送受信を行うトランシーバにおいて、前記電界伝達媒体から受信した情報を、前記トランシーバに接続されているコンピュータからのデータ信号のチャネルであるデータチャネルと、複数の前記トランシーバ間の接続を判定するリンク信号専用のチャネルであるリンクチャネルとに分割して、前記データ信号と前記リンク信号とを分離する分離手段と、
前記分離手段で分離された前記リンク信号を検知すると前記コンピュータに格納されている所定のプログラムの起動を行う駆動信号を前記コンピュータに送信する駆動信号出力手段と、を有することを要旨とする。
【００１２】
請求項４記載の本発明は、送信すべき情報に基づく電界を電界伝達媒体に誘起させるとともにこの誘起した電界を検出して情報の送受信を行う１対のトランシーバを備えて、該１対のトランシーバに接続されているそれぞれのコンピュータ間で提供されるサービスを起動するサービス起動システムであって、前記１対のトランシーバの一方は、前記トランシーバ間の接続を判定するリンク信号を生成し、前記トランシーバに接続されているコンピュータからのデータ信号のチャネルであるデータチャネルとは別の前記リンク信号専用のチャネルであるリンクチャネルを使って送信するリンク信号生成手段と、前記リンクチャネルからの前記リンク信号と、前記データチャネルからの前記データ信号と、をひとつにまとめて前記送信すべき情報とする多重手段と、前記送信すべき情報に基づく電界を電界伝達媒体に誘起させる送信手段と、を有し、前記１対のトランシーバの他方は、前記１対のトランシーバの一方から送信された情報を、前記電界伝達媒体から誘起した電界を検出して受信する受信手段と、前記受信手段で受信した情報を前記データチャネルの前記データ信号と前記リンクチャネルの前記リンク信号に分離する分離手段と、前記分離手段で分離された前記リンク信号を検知すると自己に接続されている前記コンピュータに格納されている所定のプログラムの起動を行う駆動信号を該コンピュータに送信する駆動信号出力手段と、を有することを要旨とする。
【００１３】
請求項５記載の本発明は、送信すべき情報に基づく電界を電界伝達媒体に誘起させるとともにこの誘起した電界を検出して情報の送受信を行う１対のトランシーバが、該１対のトランシーバに接続されているそれぞれのコンピュータ間で提供されるサービスを起動するサービス起動方法であって、前記１対のトランシーバの一方は、前記トランシーバ間の接続を判定するリンク信号を生成し、前記トランシーバに接続されているコンピュータからのデータ信号のチャネルであるデータチャネルとは別の前記リンク信号専用のチャネルであるリンクチャネルを使って送信するリンク信号生成ステップと、前記リンクチャネルからの前記リンク信号と、前記データチャネルからの前記データ信号と、をひとつにまとめて前記送信すべき情報とする多重ステップと、前記送信すべき情報に基づく電界を電界伝達媒体に誘起させる送信ステップと、を実行し、前記１対のトランシーバの他方は、前記１対のトランシーバの一方から送信された情報を、前記電界伝達媒体から誘起した電界を検出して受信する受信ステップと、前記受信ステップで受信した情報を前記データチャネルの前記データ信号と前記リンクチャネルの前記リンク信号に分離する分離ステップと、前記分離ステップで分離された前記リンク信号を検知すると自己に接続されている前記コンピュータに格納されている所定のプログラムの起動を行う駆動信号を該コンピュータに送信する駆動信号出力ステップと、を実行することを要旨とする。
【００１４】
【発明の実施の形態】
以下、本発明の実施の形態を図面を用いて説明する。
【００１５】
図１は、本発明の実施形態に係るトランシーバ１の回路構成を示している図である。同図に示すトランシーバ１は、コンピュータからの送信データを入出力（Ｉ／Ｏ）回路９０１を介して受け取ると、この送信データをデータチャネル（送信データが流れる通信伝送路）を使って多重部１０２に送り出すようになっている。また、トランシーバ１は、リンク信号生成器１０１で生成したリンク信号を定期的（約１ｍｓｅｃごと）にリンクチャネル（リンク信号が流れる通信伝送路）を使って多重部１０２に送り出している。ここで、リンク信号は、トランシーバ１間のリンク（接続）を判定するための信号である。そして、トランシーバ１は、多重部１０２で、このリンク信号と送信データとをひとつにまとめ、送信部９０２を介して送受信電極９０３に供給し、該送受信電極９０３および絶縁膜９０４を介して生体に電界を誘起させ、この電界を生体の他の部位に伝達させるようになっている。
【００１６】
また、トランシーバ１は、生体に誘起されて伝達されてくる電界を絶縁膜９０４を介して送受信電極９０３で検出し、この電界を電界検出光学部９０５に結合して電気信号に変換するようになっている。そして、この電気信号は、信号処理回路９０６で増幅、雑音除去などの信号処理を施され、更に波形整形回路９０７で波形整形されてから、分離部１０３に送り出され、該分離部１０３で送信データとリンク信号とに分離されるようになっている。次に、トランシーバ１は、送信データを入出力（Ｉ／Ｏ）回路９０１を介してコンピュータに出力するとともに、リンク信号を駆動信号出力器１０４に出力すると、駆動信号出力器１０４では駆動信号を入出力（Ｉ／Ｏ）回路９０１を介してコンピュータに出力するようになっている。ここで、駆動信号は、リンク信号を検出すると発せられるもので、コンピュータ上のサービスを起動するための信号である。
【００１７】
以上から、トランシーバ１は、リンク信号専用のリンクチャネルを設け、該リンクチャネルを介してリンク信号を送信し、このリンク信号を受信した別のトランシーバ１は、該リンク信号を受信すると、駆動信号をコンピュータに送信するので、コンピュータ間の通信に影響を与えずにコンピュータ上のサービスを迅速に起動させることができる。
【００１８】
尚、このようなトランシーバを用いて通信を行う場合には、上述したように１対のトランシーバ１を用いて通信を行ってもよいが、トランシーバ１をリンク信号生成側とリンク信号分離側に機能分散したトランシーバ２およびトランシーバ３を用いて通信を行ってもよい。尚、図２は、リンク信号生成側のトランシーバであるトランシーバ２およびリンク信号分離側のトランシーバであるトランシーバ３の回路構成を示している図である。
【００１９】
図３は、上述したトランシーバ２および３をそれぞれ電子財布５および自動販売機４に適用したサービス提供システム１００の概略構成図である。サービス提供システム１００は、コンピュータ７およびトランシーバ２を備えている、ウェアラブルな電子財布５、並びにトランシーバ３およびサーバ８を備えている自動販売機４を有する構成となっており、人１０の手がトランシーバ３に触れると、トランシーバ２および３間の生体を介した通信路が確立し、サービスの提供を受けることができるようになっている（例えば、購入ボタンとしてのトランシーバ３を複数備えた自動販売機においてはいずれかのトランシーバ３を押下することにより、所望の商品を購入することができる）。
【００２０】
次に、サービス提供システム１００の動作について、図４を用いて説明する。ここで、図４は、電子財布５と自動販売機４との通信のやりとりを説明するシーケンス図である。
【００２１】
トランシーバ２は定期的にリンク信号を発信しているので、電子財布５を携行している人１０が自動販売機４の購入ボタンであるトランシーバ３に触れると、トランシーバ２とトランシーバ３間の生体を介した通信が成立する（ステップＳ１０）。これにより、トランシーバ３は、リンク信号を受信するので、駆動信号をサーバ８に送信する（ステップＳ２０）。そして、駆動信号を受信したサーバ８は、商品購入のサービスを開始し、コンピュータ７に商品購入の代金を請求し、コンピュータ７はこれに応じてサーバ８に代金を支払う（ステップＳ３０，Ｓ４０）。
【００２２】
従って、サービス提供システム１００によれば、トランシーバ２が発信しているリンク信号をトランシーバ３が受信すると、駆動信号をサーバ８に送信するので、サーバ８は迅速に商品購入のサービスを開始することができる。また、電子財布５の取り出しや操作が不要なサービスを実現することができる。
【００２３】
尚、自動販売機４にトランシーバ２、電子財布５にトランシーバ３を備えるサービス提供システム２００を構築し、自動販売機４が定期的にリンク信号を発信し、電子財布５が駆動信号を送信するようにしてもよい。図５は、サービス提供システム２００における電子財布５および自動販売機４間の通信のやりとりを説明するシーケンス図である。
【００２４】
同図によれば、自動販売機４のトランシーバ２は定期的にリンク信号を発信しているので、電子財布５を携行している人１０が自動販売機４の購入ボタンであるトランシーバ２に触れると、トランシーバ２とトランシーバ３間の生体を介した通信が成立する（ステップＳ１１０）。これにより、電子財布５のトランシーバ３は、リンク信号を受信するので、駆動信号をコンピュータ７に送信する（ステップＳ１２０）。そして、駆動信号を受信したコンピュータ７は、商品購入のサービスを開始し、サーバ８にサービス請求をする（ステップＳ１３０）。これにより、サーバ８は、コンピュータ７に商品購入の代金を請求し、コンピュータ７はこれに応じてサーバ８に代金を支払う（ステップＳ１４０，Ｓ１５０）。
【００２５】
従って、サービス提供システム２００によれば、サービス提供システム１００と同様の効果を得ることができる。また、これに加えて、自動販売機４がリンク信号を発信し、電子財布５が該リンク信号を待ち受けている構成としているので、電子財布５の通信量を減らすことができ、以て、電子財布５の電力消費を抑えることができる。
【００２６】
以上、本発明の実施の形態について説明してきたが、本発明の要旨を逸脱しない範囲において、本発明の実施の形態に対して種々の変形や変更を施すことができる。例えば、サービス提供システム１００および２００は、電子財布５をウェアラブルコンピュータとして身につけている人が自動販売機４で商品を購入するサービス提供システムであったが、本発明はこれに限定されるわけではなく、これ以外の商品およびサービスを提供するサービス提供システム（例えば、自動改札の通過、ドアの開錠など）であってもよい。
【００２７】
また、上記実施の形態においては、駆動信号をコンピュータ上のサービスを起動する信号として用いていたが、コンピュータ上のサービスを停止させる信号として用いてもよいものである。尚、上記実施の形態においてコンピュータが提供するサービスは、該コンピュータに格納されたサービス提供のプログラムが起動されることにより、開始されるものである。
【００２８】
【発明の効果】
以上説明したように、本発明によれば、送信すべき情報に基づく電界を電界伝達媒体に誘起させるとともに電界伝達媒体に誘起された電界を検出して情報の送受信を行うトランシーバを利用してコンピュータ間の通信を行う場合において、迅速に通信サービスを開始することができるトランシーバ、該トランシーバを有するサービス起動システムおよびサービス起動方法を提供することができる。
【００２９】
これにより、ウェアラブルコンピュータを身につけている人間の振る舞いに影響されず、安定したサービス提供をすることができる。
【図面の簡単な説明】
【図１】本発明の実施の形態に係るトランシーバの回路構成を示すブロック図である。
【図２】サービス起動システムに用いられるトランシーバの回路構成を示すブロック図である。
【図３】サービス起動システムの概略構成図である。
【図４】サービス起動システムの動作を説明するシーケンス図である。
【図５】サービス起動システムの動作を説明するシーケンス図である。
【図６】トランシーバを介してウェアラブルコンピュータを人間に装着して使用する場合の例を示す説明図である。
【図７】従来のトランシーバの回路構成を示すブロック図である。
【符号の説明】
１，２，３，９  トランシーバ
４  自動販売機
５  電子財布
７  コンピュータ
８  ＰＣ、サーバ
１０  人間
１００  サービス起動システム
１０１  リンク信号生成器
１０２  多重部
１０３  分離部
１０４  駆動信号出力器
９０１  Ｉ／Ｏ回路
９０２  送信部
９０３  送受信電極
９０４  絶縁膜
９０５  電界検出光学部
９０６  信号処理回路
９０７  波形整形回路
９１０  受信部
【図１】
2004357195.tif 000003
【図２】
2004357195.tif 000004
【図３】
2004357195.tif 000005
【図４】
2004357195.tif 000006
【図５】
2004357195.tif 000007
【図６】
2004357195.tif 000008
【図７】
2004357195.tif 000009